(57)【特許請求の範囲】
【請求項１】
外部室（２，２１，３２，６１，７１）を含む、爆発危険物体の取り扱い及び輸送のための防爆室（１，２０，３０，６０，７０）であって、外部室内に内部貯蔵室（３，２２，３３，６２，７２）が爆発危険物体の貯蔵のために配置されているものにおいて、内部貯蔵室（３，２２，３３，６２，７２）が、外部室（２，２１，３２，６１，７１）内で開放及び閉鎖位置間で可動であるように配置されていること、防爆室（１，２０，３０，６０，７０）が、内部貯蔵室（３，２２，３３，６２，７２）の閉鎖及び封止のために外部室（２，２１，３２，６１，７１）内に配置された二つの別個の閉鎖端面（１３，２３，３９，６３，８５，８６）を含むこと、及び内部貯蔵室（３，３３，６２）が、外部室（２，３２，６１）内で開放及び閉鎖位置間で、外部室（２，３２，６１）内に配置された回転機構（１１，４５，６５）を介して、回転可能であるように配置されていることを特徴とする防爆室（１，２０，３０，６０，７０）。
【請求項２】
内部貯蔵室（３，２２，３３，６２，７２）が、外部室（２，２１，３２，６１，７１）内で分離可能であるように配置されていることを特徴とする請求項１に記載の爆発危険物体の取り扱い及び輸送のための防爆室（１，２０，３０，６０，７０）。
【請求項３】
外部室（２，２１）が、二つの長い側面（４）、ベース（６）、屋根（５）、及び二つの端面（７）を含む正方形または長方形断面を持つ箱形状またはコンテナ形状をしており、その二つの長い側面（４）が、爆発危険物体の内部貯蔵室（３，２２）への装填及び内部貯蔵室（３，２２）からの脱装填のために開放されること、及び内部貯蔵室（３，２２）が、ケーシング部（９）及び二つの端面部（１０）を含む円形断面を持つ管状であり、さらに二つの端面部（１０）が、爆発危険物体の装填及び脱装填のために開放されることを特徴とする請求項１または２に記載の爆発危険物体の取り扱い及び輸送のための防爆室（１，２０）。
【請求項４】
内部貯蔵室（３３，７２）が、外部室（３２，７１）の垂直面内で回転可能であることを特徴とする請求項１に記載の爆発危険物体の取り扱い及び輸送のための防爆室（３０，６０，７０）。
【請求項５】
閉鎖端面（１３，２３）が、外部室（２，２１）の内側に配置された水力ピストン（１４）を介して外部室（２，２１）内で軸方向に可動であるように配置されていることを特徴とする請求項１に記載の爆発危険物体の取り扱い及び輸送のための防爆室（１，２０）。
【請求項６】
二つの閉鎖端面（１３，１４）が、内部貯蔵室（３３）の固定及び封止のための膨張可能な封止ストリップ（２９）を含むことを特徴とする請求項２に記載の爆発危険物体の取り扱い及び輸送のための防爆室（３０）。
【請求項７】
回転機構（６５）が、手動であり、かつ外部室（６１）の上部側に配置された分離可能なハンドル（６４）により操作され、ハンドル（６４）が、水平面内で開放及び固定位置間で、４分の１回転、時計回りにまたは反時計回りに回転可能であり、その開放位置では予め緊張した固定機構を介して外部室（６１）から内部貯蔵室（６２）を自動的に解放することを特徴とする請求項１に記載の爆発危険物体の取り扱い及び輸送のための防爆室（１）。
【請求項８】
防爆室（１）が、内部貯蔵室（３）の解放のための解放機構（１６）を含み、解放機構（１６）がばねボルト及び予め緊張する機構を含み、予め緊張された状態のばねボルトが、内部貯蔵室（３，２２）を固定し、かつ緊張されない状態では内部貯蔵室（３，２２）を解放することを特徴とする請求項３に記載の爆発危険物体の取り扱い及び輸送のための防爆室（１，２０）。
【請求項９】
ばねボルトが、電磁的に制御されたばね機構を介して予め緊張されていることを特徴とする請求項８に記載の爆発危険物体の取り扱い及び輸送のための防爆室（１，２０）。
【請求項１０】
外部室（２）がさらに、回転可能な支持板（１５）を含み、その上に内部貯蔵室（３）が載ることを特徴とする請求項３に記載の爆発危険物体の取り扱い及び輸送のための防爆室（１）。
【発明の詳細な説明】
【技術分野】
【０００１】
本発明は、爆発危険物体の取り扱い及び輸送のための防爆室に関する。
【０００２】
本発明は、都市領域で最大の可能な破壊を作る目的で、例えば車輌で使用される、特に改善された爆発性装置、いわゆるＩＥＤのタイプの爆発危険物体の取り扱い及び輸送のための防爆室に関する。本発明はまた、空港で発見された爆発性装置の取り扱い、及び爆発可能物品、例えば弾薬及び爆薬の取り扱い及び輸送に関する。
【背景技術】
【０００３】
ＩＥＤは、今日の社会において増大する脅威を提起し、空港、ポートターミナル、及び国境管理での爆発性装置の発見及び取り扱いに大きな資源が投資されている。
【０００４】
空港における運送荷物及び手荷物中の爆発性装置の発見は、通常、爆発性装置の周りの領域の大規模な避難及び非常線を張ること、並びに遠隔制御された操縦器及び防爆コンテナを含む複雑な行動を含む。必要な場合には、有毒なガスを含むかまたは発生すると思われる物体の取り扱いのための気密爆発コンテナへの接近もまた要求される。従って、爆発性装置を用意された車輌の発見は、大規模な避難及び非常線を張ることを含む。
【０００５】
車輌内に付与された爆発性装置を無害処理することは、通常、爆発性装置を爆発させなければ実施することが不可能であるかまたは非常に困難である。車輌の扉及び車輪は、車輌が転がり始めるときまたは扉が開かれるときに爆発性装置の起爆機構を作動させる装置を備えることができる。
【０００６】
空港において荷物制御で発見された爆発危険物体の取り扱い及び輸送のための防爆室は、文献から知られている。
【０００７】
文献ＧＢ２４４０９３７Ａ（２００８年２月２０日、図２）は、空港における荷物管理に関して使用するための可動防爆室を記載する。直立円筒体の形を持つ爆発室の外殻１の一方側に、入来する荷物のための爆発室中への開口５が配置され、他方の側に、出て行く荷物のための爆発室から出る開口６が配置されている。爆発室は、二つの相互に対面する、曲がった回転可能な扉２を含み、それらは、二つの十字形支柱によって一緒に結合され、かつ回転装置４に連結されている。扉２の長さは、扉２間の距離が爆発室の外殻１内の開口５，６の長さに相当するようなものである。
【０００８】
爆発危険物体が発見されたとき、回転装置４が起動され、それは爆発室の水平面内で４分の１回転だけ扉２を回転し、それにより扉２は外殻１内の二つの開口５，６をブロックし、爆発室が閉じられる。爆発室が閉じられた後、爆発危険物体を含む爆発室が安全な場所に移される。
【０００９】
直立円筒体としての爆発室の構成は、大きな爆発危険物体の取り扱い、例えば爆発装置を用意した車輌の取り扱いにおいて爆発室を広くし、扱いにくくする。広い室は、例えば小さな都市道路上の輸送の場合または建物内の異なる部屋間の移動の場合の制限された通行性を意味する。
【００１０】
二つの内部の曲がった扉及び外殻を持つ爆発室の構成はまた、特に以下の欠点を含む：
−  扉、並びに外殻は、爆発装置の最大爆発圧に合わせて寸法決定されなければならず、それは爆発室を不必要に重くする、
−  内部扉と外殻の間の重複は遊びを伴ない、それは室の封止をより困難にする、
−  爆発危険物体の室への装填及び室からの脱装填に関する制限された可能性。
【発明の概要】
【発明が解決しようとする課題】
【００１１】
本発明の主な目的は、爆発危険物体の取り扱いのためのフレキシブルな防爆室であり、そこではこの室は、小さな道路上の輸送の場合または建物内の異なる部屋間の移動の場合の高い通行性のために構成されている。
【００１２】
本発明の第二目的は、改善された閉鎖機能を持つ防爆室であり、そこでは遊びは排除されているかまたは大きく減少されている。
【００１３】
本発明の第三目的は、装填及び脱装填時の爆発危険物体の単純化された取り扱いを持つ防爆室である。
【００１４】
前記目的、及びここに挙げられていない他の目的は、本発明の独立特許請求項に規定されている範囲内でうまく合致する。本発明の実施態様は、従属請求項に規定される。
【課題を解決するための手段】
【００１５】
従って、本発明によれば、外部室を含む、爆発危険物体の取り扱い及び輸送のための改善された防爆室であって、外部室内に爆発危険物体の貯蔵のための内部貯蔵室が配置されているものが提供される。
【００１６】
防爆室の特徴は、内部貯蔵室が外部室内で開放及び閉鎖位置間で可動であるように配置されていることである。
【００１７】
本発明による防爆室のさらなる態様によれば：
内部貯蔵室は、外部室内で分離可能であるように配置され、
外部室は、二つの長い側面、ベース、屋根、及び二つの端面を含む正方形または長方形断面を持つ箱形状またはコンテナ形状をしており、その二つの長い側面は、爆発危険物体の内部貯蔵室への装填及び内部貯蔵室からの脱装填のために開放され、内部貯蔵室は、ケーシング部及び二つの端面部を含む円形断面を持つ管状であり、さらに二つの端面部は爆発危険物体の装填及び脱装填のために開放され、
内部貯蔵室は、外部室内で開放及び閉鎖位置間で、外部室内に配置された回転機構を介して、回転可能であるように配置され、
内部貯蔵室は外部室の垂直面内で回転可能であり、
防爆室は、内部貯蔵室の閉鎖及び封止のために外部室内に配置された二つの別個の閉鎖端面を含み、
閉鎖端面は、外部室の内部側に配置された水力ピストンを介して外部室内で軸方向に可動であるように配置され、
二つの閉鎖端面は、内部貯蔵室を固定及び封止するための膨張可能な封止ストリップを含み、
回転機構は、手動であり、かつ外部室の上部側に配置された分離可能なハンドルにより操作され、ハンドルは、水平面内で開放及び固定位置間で時計回りにまたは反時計回りに４分の１回転、回転可能であり、その開放位置では予め緊張した固定機構を介して外部室から内部貯蔵室を自動的に解放し、
解放機構は、ばねボルト及び予め緊張する機構を含み、予め緊張された状態のばねボルトは、内部貯蔵室を固定し、緊張されない状態では内部貯蔵室を解放し、
ばねボルトは、電磁的に制御されたばね機構を介して予め緊張され、
外部室はまた、回転可能支持板を含み、その上に内部貯蔵室が載る。
【発明の効果】
【００１８】
本発明は、爆発危険物体の取り扱い及び輸送のため、例えば市街地の疑わしい車輌の取り扱い及び輸送のため、または空港での疑わしい手荷物品の取り扱いのための改善された防爆室を提案する。
【００１９】
可動的に配置された内部室は、室への装填及び室からの脱装填時の単純化された取り扱いを可能にする。
【００２０】
室の外部構成は、小さな都市道路上の輸送の場合または空港のターミナル建物内の異なる部屋間の移動の場合に改善された通行性を可能にする。
【００２１】
別個の閉鎖端面は、室の開放及び閉鎖での遊びを排除するかまたは大きく減少し、それはまた、室の効果的なガス封止を可能にする。
【００２２】
分離可能な内部貯蔵室は、例えば物体を爆発物貯蔵所に貯蔵するときに爆発危険物体を直接取り扱う必要なしに室をフレキシブルに空にすることができ、内部室は貯蔵包装として利用されることができる。
【００２３】
従って、防爆室の特に新規な態様は、可動でありかつ分離可能である内部室を持つその構成、並びに二つの別個の閉鎖及び封止端面による閉鎖及び封止である。
【００２４】
上述から、爆発危険物体の取り扱いと関連した全ての活動が、本発明による防爆室を介して困難性なしに安全に実行されることができることはおそらく明らかであるだろう。
【００２５】
従って、本発明による防爆室は、ここで意図されたタイプの防爆室に置かれることができる全ての要求を満たす。
【００２６】
さらなる利点及び効果は、その有利な実施態様の一つ、特許請求の範囲、及び添付図面を含む、本発明の以下の詳細な説明の研究及び考察から明らかとなるだろう。
【図面の簡単な説明】
【００２７】
本発明は、以下の特許請求の範囲に規定されており、添付図面に関連してさらに幾らか説明されるだろう。
【００２８】
【図１】図１は、外部室及び内部回転可能室を含む、大きな爆発危険物体の取り扱いのための、本発明による防爆室の第一実施態様の上から斜めに見た図を概略的に示す。
【００２９】
【図２】図２は、内部室が閉鎖位置にある、図１に記載の室を示す。
【００３０】
【図３】図３は、横方向に引き出されることができる内部室を含む、図１に記載の室の特別な実施態様を示す。
【００３１】
【図４】図４は、内部室が閉鎖位置にある、図３に記載の室を示す。
【００３２】
【図５】図５は、空港における荷物管理での小寸法及び中寸法の爆発危険物体の取り扱いのために意図された、本発明による防爆室の第二実施態様の上から斜めに見た図を概略図に示し、そこでは室は内部回転可能貯蔵室を含む。
【００３３】
【図６】図６は、内部貯蔵室が開放水平位置に回転されている、図５に記載の室を示す。
【００３４】
【図７】図７は、内部室の回転機構を見ることができる、図５に記載の室の詳細図を示す。
【００３５】
【図８】図８は、室の閉鎖ブラインドのための駆動機構を見ることができる、図６に記載の内部室の詳細図を示す。
【００３６】
【図９】図９は、手による手動回転のために配置された内部回転可能室を含む、小さな爆発危険物体の取り扱いのための、本発明による防爆室の第三実施態様の上から斜めに見た図を概略的に示す。
【００３７】
【図１０】図１０は、内部回転可能室が開放位置に回転されている、図９に記載の防爆室を示す。
【００３８】
【図１１】図１１は、内部回転可能室を含む、小さな爆発危険物体の取り扱いのための、本発明による防爆室の第四実施態様の上から斜めに見た図を概略的に示す。
【００３９】
【図１２】図１２は、内部回転可能室が閉鎖された垂直位置にある、図１１に記載の防爆室の詳細図を概略的に示す。
【００４０】
【図１３】図１３は、内部回転可能室が開放充填位置にある、図１１に記載された防爆室の詳細図を概略的に示す。
【００４１】
【図１４】図１４は、内部回転可能室が空にする開放位置にある、図１１に記載の防爆室の詳細図を概略的に示す。
【発明を実施するための形態】
【００４２】
図１〜４は、特に大きな爆発危険物体のために意図された、例えば爆発装置を用意した車輌の取り扱い及び輸送のための、または弾薬または爆薬タイプの爆発可能物の輸送のための、本発明による防爆室１の第一実施態様を示す。
【００４３】
図１及び２の防爆室１は外部室２を含み、その中に爆発危険物体の貯蔵のための内部の可動的に配置された室３が配置されている。外部室２は、好ましくは正方形または長方形断面を持つコンテナとして構成され、二つの縦方向側面部４、屋根部５、ベース部６、及び二つの端面部７を含み、その二つの縦方向側面部４は、爆発危険物体の内部貯蔵室３への装填及び内部貯蔵室３からの脱装填のために開放される。
【００４４】
外部室２の屋根部５及びベース部６は、平行に配置された鋼ビームによって構成され、それらの端部は二つの端面部７に固定されている。鋼ビームは、鋼板で全体的にまたは部分的に覆われている。
【００４５】
防爆室１は、ローリー上の通常のコンテナとしての装填及び輸送のために適しており、フォークリフトトラックのための、外部室２の屋根部及びベース部の鋼ビームの側面に開口８を含む。室１はまた、リフティングクレーンのための固定装置を含む。特別な実施態様では、室１はまた、トレーラーとして作動するために車輪と牽引装置を備えている。
【００４６】
内部室３は、好ましくは円形断面を持つ円筒状であり、鋼板から作られたケーシング部９、及び二つの開放端面部１０を含む。円筒形状以外の構成もまた可能である。内部室３は、外部室３内で回転の垂直中心Ａ−Ａの周りに水平方向に回転可能である。室は、外部室２の屋根部５と内部室３のケーシング部９の間に配置された回転機構１１の助けにより内部室３の４分の１回転により引っ込んだ閉鎖位置から開放拡張位置に開放される。回転機構１１は、好ましくは市販タイプのギヤー機構によって構成され、従って連続した文章でより綿密に説明されない。回転機構は遠隔制御されるか、手動であることもできる。室１はまた、内部室３の固定及び解放のための固定及び解放機構を含む。内部室３は、好ましくはボールベアリングを取り付けられた、回転可能に配置された支持板１５上に載り、それは、内部室３が異なる角度に回転されることを可能にする。
【００４７】
特別な変形例では、支持板１５はまた、大きな物体の装填及び空にするのと関連して内部室３の角度を定めるために垂直方向に回転可能である。
【００４８】
固定及び解放機構は、好ましくは予備緊張機構を持つばねボルトによって構成され、そこでは、ばねボルトが外部室及び内部室２，３間に配置される。ばねボルトは、内部室３を予備緊張された状態及び予備緊張されていない状態で固定及び解放する。内部室３（図１及び２）はまた、内部室３の下側に取り付けられた二つの上昇ビーム１２を含み、そこでは、ビーム１２は、フォークリフトトラックの助けによる内部室３の脱装填のために意図されている。
【００４９】
外部室２は、内部室３の閉鎖及び開放のために二つの可動的に配置された閉鎖端面１３を含む。二つの閉鎖端面１３は、内部室３の二つの開放端面部１０に向けて軸方向に可動である。閉鎖端面１３は、それぞれ外部室２の端面部７の内部側の四つの遠隔制御されたピストン１４上に取り付けられる。特別な実施態様では、閉鎖端面１３はまた、内部貯蔵室３と閉鎖端面１３の間の接合部のガス封止のために膨張可能な封止ストリップを含む。閉鎖端面１３と内部室３の端面１０の間の隙間を減少するために、内部室３の端面１０は凸状に造形され、二つの閉鎖端面１３は凹状に造形されている（図１）。図２は開放位置の室１を示す。
【００５０】
図３及び４には、図１の室１の特別な変形例２０が示されている。外部室２１、内部室２２、及び二つの閉鎖端面２３を含む、図３の特別な室２０は、内部室２２の水平方向の回転のための回転機構を持たない。内部室２２は、代わりに、閉鎖された内部位置から開放外部位置に横方向に引き出されることができる。特別な室２０は、内部室２２の下側に取り付けられたフォークリフトトラックのための二つの上昇ビーム２４を含み、上昇ビーム２４は、外部室２１の内部床上で二つの案内レール２５間でスライドするように構成されている。図３は、引っ込められた閉鎖位置の室２０を示し、図４は、延ばされた開放位置の室２０を示す。
【００５１】
図５〜８には、本発明による可動防爆室３０の第二実施態様が示されている。図５に記載の室３０は、空港での荷物管理部での小寸法または中寸法の物体の取り扱いのために意図されている。もし荷品が爆発危険物体を含むと疑われるなら、荷品が室３０の内側に入ると、室３０は閉鎖される。閉鎖された防爆室は、その後、安全な場所に移動される。もし爆発危険物体が発見されないなら、荷品は、内部コンベアベルト５２を介して室３０を通って前方へ室３０の他方側の接続コンベアベルト３１に輸送される。
【００５２】
図６の室３０は外部室３２を含み、そこには爆発危険物体の貯蔵のための内部室３３が配置されている。外部室３２は、好ましくは、正方形または長方形断面を持つ箱形状をしており、それは、二つの同様な側面部３４、上部３５、下部３６、後部３７、及び荷物管理部に面する前部３８を含み、そこでは室３０の後部３７と前部３８は、荷品の内部室３３への通過及び内部室３３からの通過のために開放されている。外部室３２は、内部室３３の閉鎖及び封止のための二つの固定的に取り付けられた閉鎖端面３９を含む。
【００５３】
外部室３２の上部３５及び下部３６は、平行に配置された鋼ビーム４０（好ましくはＩ−ビーム）によって構成され、その端部は室３０の側面部３４に固定される。室３０はまた、室３０の輸送のための車輪を備えている。
【００５４】
内部貯蔵室３３は、好ましくは正方形または長方形断面を持つ箱形状をしており、二つの側面４１、上部４２、下部４３、及び荷物の給入及び給出のための二つの開放した端面部４４を含む。内部室３３は、外部室３２の垂直面内で開放水平位置と閉鎖垂直位置の間で回転可能に配置される。内部室３３はまた、箱形状以外の構成、例えば円筒形状を持つことができる。外部室３２は、内部貯蔵室３３と同様に、Ｗｅｌｄｏｘ  ９００タイプの強い鋼板から作られることが好ましい。内部室３３の二つの開放端面部４４は、内部室３３が開放水平位置にあるとき、チェーン駆動鋼ブラインド４６を介して閉鎖可能である。
【００５５】
内部貯蔵室３３は、二つの水平に配置された回転軸４５を介して外部室３２の垂直面内で遠隔制御によって回転可能である。回転軸４５は、内部室３３と外部室３２の間に配置される。回転軸４５は、回転軸４５の一つの上の大きい方の駆動輪４８とモーター４６の駆動軸上の小さい方のギヤー輪の間に配置されたチェーン４７を介して電気モーター４６で駆動される。内部室３３は、二つの閉鎖端面３９、及び膨張可能な封止ストリップを含む固定及び封止機構によって閉鎖垂直位置に固定されかつ封止される。
【００５６】
封止ストリップは、ガスライン５０を介して圧力タンク４９に連結された膨張可能ゴムまたはプラスチックホースによって構成されることが好ましい。圧力タンク４９のガスは、好ましくは空気または窒素ガスであり、固定及び封止ストリップの加圧は、好ましくは内部室３３の垂直閉鎖位置への回転に応答して自動的に起こる。
【００５７】
内部室３３の端面部４４上にかつ閉鎖端面３９上に封止ストリップの付与のための溝が配置されている。封止ストリップはまた、ゴムホース以外の幾つかの膨張可能な材料、例えば電圧または加熱を介して膨張する膨張可能な金属または金属合金によって構成されることができる。閉鎖及び開放時の閉鎖端面３９と内部室３３の間の隙間を減らすために、内部室３３の端面４４は凸状に形成され、二つの閉鎖端面３９は凹状に形成される（図６）。
【００５８】
もし荷物が爆発の危険にあると見なされるなら、内部貯蔵室３３は、二つの開放端面部４４を覆って下げられる内部室３３の鋼ブラインド４６によって水平位置で閉鎖される。貯蔵室３３は、その後にその垂直位置に回転され、そこで閉鎖端面３９の固定機構が起動される。鋼ブラインド４６の機能は、来入及び出行する荷物のための内部貯蔵室３３を閉鎖し、貯蔵室３３の回転時に貯蔵室３３内の所定場所に荷物を保持することである。
【００５９】
貯蔵室３３の二つの側面４１の内部側に二つの垂直支持壁５１が配置され、その上に内部コンベアベルト５２の駆動ローラー５３が取り付けられている。
【００６０】
駆動ローラー５３は、通常、別個の遠隔制御された駆動機構５４によって駆動されるが、結合によって外部コンベアベルト３２と調和させることができる。貯蔵室３３の鋼ブラインド４６は、チェーン５５を介して二つの支持壁５１の端面上を動き、内部室３３の側面４１上に配置された二つの回転軸５６によって駆動される。回転軸５６は、引き続いて内部室３３の上部４２上に取り付けられた横方向ギヤー駆動の駆動軸５８を介して電気モーター５７によって駆動される。
【００６１】
横方向駆動軸５８は、二つのチェーン５９を介して二つの回転軸５６を駆動し、これらのチェーンのうち一つは内部室３４のいずれかの側面４１上にある。
【００６２】
図６の室３０の第一の特別な実施態様では、室３０は、室３０を動かす必要なしに爆発危険物体をコンベアベルト３１のすぐそばの収集箱中に移すために配置されている。爆発危険物体は、内部室３０の入口または出口の斜め下に置かれる収集箱に向かって内部室３３を約４５度傾けることによって収集箱に移される。鋼ブラインド４６が巻き上げられ、内部コンベアベルト５２が始動され、それにより爆発危険物体は収集箱に移される。防爆室３０の第二の特別な実施態様では、内部貯蔵室３３は、外部室３２から分離できるように配置される。室３０は、内部貯蔵室３３が解放され、外部室３２から輸送のために別の場所に上昇されることによって移される。内部室３３の解放は、内部室３３を所定場所に保持する回転軸４５が内部及び外部位置間で半径方向に調整可能であることによって実現され、そこでは外部位置は貯蔵室３３を解放し、内部位置は貯蔵室３３を固定する。
【００６３】
図９及び１０には、空港での安全管理部での小さな爆発危険物体の取り扱いのために意図された、本発明による可動防爆室６０の第三実施態様が示されている。外部室６１及び内部室６２を含む室６０は、外部室６１の水平面内で閉鎖及び開放位置間の内部貯蔵室６２の手動回転のために配置されている。内部室６２は、外部室６１の内側に配置された二つの固定的に取り付けられた閉鎖端面６３によって閉鎖される。内部室６２は、外部室６１の上側に取り付けられかつ室６０の内側の回転機構６５に結合されたハンドル６４の助けによって回転される。図１０は、開放位置の内部貯蔵室６２を示す。室６０はまた、室６１の一方の側に固定的に取り付けられた車輪対６６を備え、移動時の室６４の案内のために他方の側に回転可能な車輪６７を備えている。室６０の特別な実施態様では、内部室６２はまた、外部室６１から分離できるように配置される。
【００６４】
図１１〜１４には、本発明による防爆室７０の第四実施態様が示されている。図１１による室７０は、ここでは、例えば紙及びプラスチック廃棄物のための廃棄室（小さな箱）として使用されることを意味しており、増大した危険がある、空港ターミナル、バス、及び電車の駅または地下鉄道に置くために意図されている。従って、防爆室７０は、通常のくず箱として作用するが、小さな爆薬装置からの爆風圧を取り扱うこともできる。廃棄室７０は外部室７１を含み、それは回転可能に配置された内部貯蔵室７２を含む。
【００６５】
廃棄室７０は二つの廃棄シュートを含み、廃棄室７０の一方の側にプラスチックのための廃棄シュート７３、及び廃棄室７０の他の反対側に紙のための廃棄シュート７４を含む。内部貯蔵室７２は、二つの同様な回転機構７５、プラスチックのための廃棄シュート７３のための回転機構、及び紙のための廃棄シュート７４のための回転機構を介して水平回転中心Ｂ−Ｂの周りに外部室７１内で垂直方向に回転可能である。内部室７２は、それぞれの廃棄シュートに関して三つの異なる位置（閉鎖された垂直位置、室７２が約４５度傾けられる充填位置、及び室７２が約９０度角度を付けられて水平位置になる、空になる位置）間で調整可能である。廃棄シュート７３，７４は管状であり、内部の傾斜した室７２への直接連絡のために約４５度傾斜させられる。管状廃棄シュート７３，７４のそれぞれは、二つの保護フラップ（上部保護フラップ７６及び下部保護フラップ７７）を含む。上部保護フラップ７６はセンサ７８を含み、それは、上部保護フラップ７６が廃棄物の充填のために開かれるときに感知する。
【００６６】
上部保護フラップ７６が開かれるとき、センサ７８は、制御及び監視ユニット７９を介してプラスチックのためのまたは紙のための廃棄室７０の回転機構７５を起動し、それにより内部室７２が傾斜され、プラスチックのための管状廃棄シュート７３または紙のためのシュート７４の一つに連絡する。ある時間の遅延後に、下部保護フラップ７７は、上部保護フラップ７６が閉じられると同時に開かれる。さらなる時間の遅延後に、下部保護フラップ７７は、内部室７２がその垂直閉鎖位置に回転されて戻されるのと同時に、閉じられる。
【００６７】
回転機構７５は、チェーン８１及び二つの歯車８２，８３、モーターの駆動軸に連結された小さい方の歯車８２、及び内部室７２の回転軸８４に連結された大きい方の歯車８３を介して電気モーター８０によって駆動される。内部室７２は、二つの固定的に取り付けられた閉鎖端面、上部閉鎖端面８５、及び下部閉鎖端面８６によって閉じられる。閉鎖端面８５，８６上に二つの軸方向に可動なスリーブ８７，８８（即ち上部８７及び下部スリーブ８８）が配置され、これらのスリーブは、起動されたとき、閉鎖端面８５，８６の上にかつ内部室７２の端面の上にスライドし、従って室７０を固定する。スリーブ８７，８８は、好ましくは別個のピストン機構（図示せず）によって駆動されるが、内部室７２の回転機構に連結されることもできる。スリーブ８７，８８内に、ガス封止のために封止ストリップが組み込まれることができる。内部室７２は、二つの区画（即ちプラスチック廃棄物のためのプラスチック区画８９、及び紙廃棄物のための紙区画９０）に分割されている。二つの区画は、壁９１によって互いに分離されている。
【００６８】
本発明は、示された実施態様に限定されないが、特許請求の範囲内で種々の方法で変更可能である。
【図１】
0005860538.tif 000002
【図２】
0005860538.tif 000003
【図３】
0005860538.tif 000004
【図４】
0005860538.tif 000005
【図５】
0005860538.tif 000006
【図６】
0005860538.tif 000007
【図７】
0005860538.tif 000008
【図８】
0005860538.tif 000009
【図９】
0005860538.tif 000010
【図１０】
0005860538.tif 000011
【図１１】
0005860538.tif 000012
【図１２】
0005860538.tif 000013
【図１３】
0005860538.tif 000014
【図１４】
0005860538.tif 000015